(57)【要約】【課題】  平面スピーカの放音方向以外の特定方向に音を誘導することができるようにする。【解決手段】  矩形の平面スピーカ６は、背向する一対の放音面８、１０を有し、これら２つの放音面８、１０から、これら放音面８、１０にほぼ直交する方向に放音する。平面スピーカ６の下端部の全域にわたって誘導体１２が形成されている。誘導体１２は、斜め下方向に突出している。平面スピーカ６から放音された音の一部は、誘導体１２に沿って、斜め下方に誘導される。【選択図】        図１
2010045492.tif 000002
【特許請求の範囲】
【請求項１】
放音面を有し、この放音面の直交方向に平面波を放音する平面スピーカを備えたスピーカ装置において、
前記平面波の一部を前記直交方向以外の特定方向に誘導するために、前記放音面の端部から前記特定方向に向けて誘導体を突出させたスピーカ装置。
【請求項２】
請求項１記載のスピーカ装置において、前記平面スピーカの放音面の周囲に枠体が設けられているスピーカ装置。
【請求項３】
請求項１または２記載のスピーカ装置において、背向する一対の放音面を有し、
前記誘導体は、前記背向する放音面それぞれに対応して、対称に設けられているスピーカ装置。
【請求項４】
請求項１または２記載のスピーカ装置において、前記誘導体は、前記平面スピーカの下端側に、前記特定方向として斜め下方を向いて設けられているスピーカ装置。
【請求項５】
請求項４記載のスピーカ装置において、前記平面スピーカの上端側に、斜め下方を向いて突出させた別の誘導体が設けられているスピーカ装置。
【発明の詳細な説明】
【技術分野】
【０００１】
本発明は、スピーカ装置に関し、特に、平面スピーカを使用したものである。
【背景技術】
【０００２】
平面スピーカには、例えば特許文献１、２に開示されているようなものがあり、背向する一対の放音面から前方及び後方にのみ広がる平面波が放音される。言い換えれば、それ以外の方向には音が拡散しないため、点音源による球面波の音に比べて減衰率が小さく、大きな音を出さなくても、遠くに音を届けることができるというメリットがある。
【０００３】
【特許文献１】特許第３１９２３７２号
【特許文献２】特許第３１５９７１４号
【発明の開示】
【発明が解決しようとする課題】
【０００４】
上述したように、平面スピーカは一対の放音面の前後方向に対してはよく音が届くというメリットがあるので、例えば、駅構内のように、電車の進行方向に長い空間において、その進行方向へのアナウンス用途で平面スピーカを利用することが考えられる。しかし、駅構内は人が混雑する空間でもあるため、スピーカの設置場所はなるべくスペースを取らず、邪魔にならない位置が望ましい。そのような条件を満たす場所としては、電光掲示板の上であったり、或いは天井への取り付けということになり、３ｍ以上の高所になる。このような高所に平面スピーカの放音面が水平方向を向くように設置すると、その水平の前後方向には音がよく届くが、その平面スピーカの下方にいる人の耳には音が届きにくいという課題がある。
【０００５】
そこで本発明は、平面スピーカの本来のメリット、すなわち、放音面の前後方向に音がよく届くというメリットを生かしつつ、平面スピーカの放音方向以外の特定方向に音を届けることができるスピーカ装置を提供することを目的とする。
【課題を解決するための手段】
【０００６】
本発明の一態様のスピーカ装置は、平面スピーカを有している。平面スピーカは、放音面を有し、放音面の直交方向に平面波を放音する。この放音面の端部に誘導体が備わっている。誘導体は、前記放音面の端部から前記特定方向に向けて突出している。誘導体としては湾曲したものを使用することもできるし、直線状のものを使用することもできる。
【０００７】
このように構成されたスピーカ装置では、放音面の直交方向に放音された平面波の一部が突出した誘導体に添って回り込む（すなわち、回折する）ことによって平面スピーカの一端から特定方向に誘導される。
誘導体は、無用に平面波の進行方向のエネルギーを拡散しているわけではなく、放音された平面波の一部を特定方向に誘導しているだけなので、平面スピーカの放音面の直交方向に音をよく届けつつ、特定方向にも音を届けることができる。
【０００８】
前記平面スピーカの放音面の周囲に枠体を設けることができる。
【０００９】
このように枠体を設けることによって、放音面の直交方向及び上記特定方向以外に音が拡散しないようにすることができる。
【００１０】
平面スピーカは、背向する１対の放音面を有するものとすることもできる。この場合、前記誘導体は、前記放音面それぞれに対して、対称に設けることができる。このように構成することによって、前後方向に音をよく届けることができ、且つどちらの面を前にしても後ろにしても同様の効果、すなわち上記特定方向に音を届けることができる。例えば、駅のプラットホーム等、細長いエリアでアナウンスする用途に適している。
【００１１】
前記誘導体は、前記平面スピーカの下端側に斜め下方を向いて設けることができる。例えば誘導体は、下端部以外に、上端部や両側の端部に設けることも可能であるが、下端部に斜め下方を向いて設けると、例えば建物の天井付近や駅のプラットホームの上方に、平面スピーカを配置する場合でも、その斜め下方付近にいる人が音声を聞くことができる。
【００１２】
これに加えて、平面スピーカの上端部にも、前記特定の方向を向いて別の誘導体を突出させることもできる。このように構成した場合、下端部だけでなく、上端部からも斜め下方に音を誘導することができ、建物の天井付近や駅のプラットホームの上方に、平面スピーカを配置する場合でも、その下方付近にいる人が音声をより明瞭に聞くことができる。
【発明の効果】
【００１３】
以上のように、本発明によれば、平面波を無用に拡散させることなく平面スピーカの放音方向以外の特定方向に音を拡散させて届けることができる。
【発明を実施するための最良の形態】
【００１４】
本発明の第１の実施形態のスピーカ装置２は、図２に示すように、駅の構内の天井４や電光掲示板（図示せず）の上のように高所、例えば３ｍ程度の高さに取り付けられて使用されるもので、図１に示すように平面スピーカ６を有している。この平面スピーカ６は、例えば扁平な直方体状に構成され、背向する一対の放音面８、１０を有している。図１に矢印ａで示すように、平面スピーカ６では、放音面８、１０から、これらに直交する方向に音声が拡声される。平面スピーカ６は、放音面８、１０が放音しようとする方向に垂直となるように、配置されて、天井等に取り付けられている。なお、平面スピーカ６の構造については、上述の特許文献１に開示されているため詳細な説明を割愛するが、特許文献２に開示されている構造の平面スピーカや他の構造の平面スピーカであってもよい。
【００１５】
この平面スピーカ６の一端部、例えば放音面８、１０の下端部それぞれに誘導体１２、１２が設けられている。誘導体１２、１２は、放音面８、１０の下端部の全域に設けられており、放音面８、１０の下端部に対して斜め下方向に向かって、放音面８、１０から離れるに従って、放音面８、１０の外方側に拡大するように構成されている。即ち、誘導体１２は、放音面８、１０に対して直交方向に、放音面８、１０から外側に離れるに従って、放音面８、１０の外側に広がっている。この実施形態では、誘導体１２は、放音面８、１０それぞれの側に対称に形成されており、平面スピーカ６側に、即ち上側に凸に湾曲した形状である。
【００１６】
このスピーカ装置２では、放音面８、１０に直交する方向に音声が平面波として放音されると共に、その一部が矢印ｂで示すように突出した誘導体１２に沿って回折することによって斜め下方に誘導される。従って、図２に示すように、このスピーカ装置２の斜め下方にいる人１４、１４も、平面スピーカ６からの音を聞くことができる。
【００１７】
本発明の第２の実施形態のスピーカ装置２ａを図３に示す。この実施形態のスピーカ装置２ａは、第１の実施形態のスピーカ装置２において、平面スピーカ６の下端部を除いた領域、即ち、上端部及び両側端部を一体に枠体１６によって包囲したものである。第１の実施形態のスピーカ装置と同等部分には同一符号を付して、その説明を省略する。スピーカ装置２ａも、スピーカ装置２と同様に、駅の構内の高所に取り付けられる。
【００１８】
図４に示すように平面スピーカ６の真下を０度として上方に向かって９０度までの間で１０度ごとに測定した、誘導体１２及び枠体１６を有さない図５に示す平面スピーカ及び図３のスピーカ装置２ａの周波数対音圧特性を図６乃至図１０に示す。図６（ａ）が０度の周波数特性図で、同図（ｂ）が１０度の周波数特性図で、図７（ａ）が２０度の周波数特性図で、同図（ｂ）が３０度の周波数特性図で、図８（ａ）が４０度の周波数特性図で、同図（ｂ）が５０度の周波数特性図で、図９（ａ）が６０度の周波数特性図で、同図（ｂ）が７０度の周波数特性図で、図１０（ａ）が８０度の周波数特性図で、同図（ｂ）が９０度の周波数特性図である。図６乃至図１０において符号αで示すのが図５のスピーカ装置の周波数特性で、符号βで示すのが、図３のスピーカ装置の周波数特性である。
【００１９】
例えば１ＫＨｚに注目すると、０度では図５に示す誘導体１２及び枠体１６を有しない平面スピーカ及び図２のスピーカ装置共に六十数ｄＢの音圧であるが、１０度では、図５で約６８ｄＢ、図３で約６９ｄＢと音圧が上昇し、２０度では、図５で約７２ｄＢ、図３で約７４ｄＢと音圧が更に上昇している。３０度では図５で約７６ｄＢ、図３で約７８ｄＢと更に音圧が上昇し、４０度では、図５で約７８ｄＢ、図３で約８０ｄＢと音圧が上昇が継続している。５０度では、図５で７９ｄＢ、図３で８１ｄＢと上昇しているが、その伸びが緩やかになっている。６０度では、図５で８０ｄＢ、図３で８２ｄＢとやはり音圧は上昇しているが、その伸びは緩やかになっている。７０度では、図５で約８２ｄＢ、図３で８３ｄＢとやはり伸びが緩やかになっている。８０度では図５で約８２ｄＢ、図３で約８３ｄＢ、９０度では、図５及び図３共に約８３ｄＢとなり、殆ど７０度から大きな伸びは無い。他の周波数においても同様な傾向が読み取れ、１０度乃至４０度の範囲において、誘導体１２及び枠体１６を設けることによって、設けていない場合よりも音圧が大きく上昇している。
【００２０】
図１１に第３の実施形態のスピーカ装置２ｂを示す。このスピーカ装置２ｂは、平面スピーカ２ａの枠体１６の上端部の放音面８、１０側それぞれの全域に、別の誘導体１２ａ、１２ａを設けたものである。このスピーカ装置２ｂでは、誘導体１２ａ、１２ａは、放音面８、１０に対して垂直な方向と約３０度の角度をそれぞれなすように斜め下側に向かって直線状に傾斜しており、互いに対称である。このスピーカ装置２ｂも、スピーカ装置２、２ａと同様に駅の構内等の高所に取り付けられ、スピーカ装置２、２ａと同様に、放音面８、１０に直交する方向に音声が平面波として放音されると共に、その一部が誘導体１２、１２、１２ａ、１２ａによって放音面８、１０の下面及び上面からそれぞれ斜め下方に誘導される。
【００２１】
なお、図１２に示すように、湾曲した誘導体１２ｂ、１２ｂを誘導体１２ａに代えて設けることもできる。この場合、誘導体１２ｂ、１２ｂは、誘導体１２とは逆に下側に向かってそれぞれ凸に形成され、かつ互いに対称に形成されている。また、枠体１６ａを設けずに、平面スピーカ６の放音面８、１０の下端部に誘導体１２を設け、上端部に誘導体１２ａ、１２ａまたは１２ｂ、１２ｂを設けることもできる。
【００２２】
上記の各実施形態では、誘導体１２、１２ａは、放音面８、１０それぞれの側に設けたが、いずれか一方の側にのみ設けることもできる。また、平面スピーカ６は、背向する放音面８、１０を有するものを使用したが、いずれか一方の放音面のみを有する平面スピーカを使用することもできる。この場合、放音面側にのみ誘導体を設ければよい。
【図面の簡単な説明】
【００２３】
【図１】本発明の第１の実施形態のスピーカ装置の斜視図である。
【図２】図１のスピーカ装置の取り付け状態を示す図である。
【図３】本発明の第２の実施形態のスピーカ装置の斜視図である。
【図４】図３及び図５のスピーカ装置の音圧特性の測定位置を示す図である。
【図５】図１のスピーカ装置から誘導体を除いた平面スピーカの斜視図である。
【図６】図３及び図５のスピーカ装置の０度及び１０度における音圧対周波数特性図である。
【図７】図３及び図５のスピーカ装置の２０度及び３０度における音圧対周波数特性図である。
【図８】図３及び図５のスピーカ装置の４０度及び５０度における音圧対周波数特性図である。
【図９】図３及び図５のスピーカ装置の６０度及び７０度における音圧対周波数特性図である。
【図１０】図３及び図５のスピーカ装置の８０度及び９０度における音圧対周波数特性図である。
【図１１】本発明の第３の実施形態のスピーカ装置の斜視図である。
【図１２】図１１のスピーカ装置の変形例の側面図である。
【符号の説明】
【００２４】
６  平面スピーカ
８  １０  放音面
１２  誘導体
１６  枠体
【図１】
2010045492.tif 000003
【図２】
2010045492.tif 000004
【図３】
2010045492.tif 000005
【図４】
2010045492.tif 000006
【図５】
2010045492.tif 000007
【図６】
2010045492.tif 000008
【図７】
2010045492.tif 000009
【図８】
2010045492.tif 000010
【図９】
2010045492.tif 000011
【図１０】
2010045492.tif 000012
【図１１】
2010045492.tif 000013
【図１２】
2010045492.tif 000014